(57)【特許請求の範囲】
【請求項１】
内容物が収容されるとともに注出口が形成された容器本体と、
該容器本体に破断可能な弱化部を介して連設され前記注出口を密閉する蓋体と、を備える注出容器であって、
前記容器本体には、前記注出口に接続された空気導入孔が形成され、
前記蓋体は、前記注出口および空気導入孔を一体に密閉し、
前記容器本体は、有底筒状の胴部と、該胴部の上端に連設された肩部と、該肩部の上端に連設され上端開口の少なくとも一部が前記注出口とされた注出筒部と、を備え、
前記空気導入孔の一部は、前記容器本体の肩部に形成されていることを特徴とする注出容器。
【請求項２】
請求項１記載の注出容器であって、
前記注出筒部の上端部において前記注出口の開口端縁に連なる部分は、下側から上側に向かうに従い漸次径方向の外側に向けて張り出していることを特徴とする注出容器。
【請求項３】
請求項１または２に記載の注出容器であって、
前記注出筒部には、径方向の外側に向けて膨出部が突設されていることを特徴とする注出容器。
【請求項４】
請求項３記載の注出容器であって、
前記膨出部は、前記注出筒部における内周面および外周面の双方が径方向の外側に向けて膨出し、該注出筒部において前記注出口から内容物を注出するときにこの注出容器を傾倒する傾倒方向の前端部に位置する周方向部分を回避した位置に配設されていることを特徴とする注出容器。
【請求項５】
請求項３または４に記載の注出容器であって、
前記膨出部は、周方向に間隔をあけて複数配設されていることを特徴とする注出容器。
【発明の詳細な説明】
【技術分野】
【０００１】
本発明は、注出容器に関するものである。
【背景技術】
【０００２】
従来から、例えば下記特許文献１に示されるように、内容物が収容されるとともに注出口が形成された容器本体と、容器本体に破断可能な弱化部を介して連設され前記注出口を密閉する蓋体と、を備える注出容器が知られている。
この注出容器においては、まず蓋体および容器本体を相対的に離間移動させることで、弱化部を破断して注出口を開口し、その後この容器本体を傾ける若しくは倒立姿勢にすることで注出口から内容物が注出される。
【先行技術文献】
【特許文献】
【０００３】
【特許文献１】特開２００５−６７７０５号公報
【発明の概要】
【発明が解決しようとする課題】
【０００４】
しかしながら、前記従来の注出容器では、注出口から内容物を注出する際、注出口のうち、容器本体内に外気が導入される部分の流路面積が変動して安定し難く、内容物を効率よく注出するのが困難であるという問題があった。
【０００５】
本発明は、このような事情を考慮してなされたもので、容器本体内の内容物を効率よく注出することができる注出容器を提供することを目的とする。
【課題を解決するための手段】
【０００６】
上記課題を解決して、このような目的を達成するために、本発明の注出容器は、内容物が収容されるとともに注出口が形成された容器本体と、該容器本体に破断可能な弱化部を介して連設され前記注出口を密閉する蓋体と、を備える注出容器であって、前記容器本体には、前記注出口に接続された空気導入孔が形成され、前記蓋体は、前記注出口および空気導入孔を一体に密閉し、前記容器本体は、有底筒状の胴部と、該胴部の上端に連設された肩部と、該肩部の上端に連設され上端開口の少なくとも一部が前記注出口とされた注出筒部と、を備え、前記空気導入孔の一部は、前記容器本体の肩部に形成されていることを特徴とする。
【０００７】
本発明によれば、容器本体に空気導入孔が形成されているので、弱化部を破断して注出口および空気導入孔を開口した後に、容器本体を、注出口が空気導入孔より鉛直方向の下側に位置するように傾ける、若しくは倒立姿勢にしたときに、内容物が、注出口内を積極的に通過して空気導入孔内に進入するのを抑止することが可能になる。
したがって、内容物の注出時に容器本体内に外気が導入される空気導入孔の流路断面積が、注出される内容物により変動するのを抑えて安定させることが可能になり、内容物を効率よく注出することができる。
また、空気導入孔が注出口に接続されているので、注出口若しくは空気導入孔の流路断面積を容易に広く確保することができる。
さらに、蓋体が、注出口および空気導入孔を一体に密閉しているので、注出口および空気導入孔を同時に開口することができる。
また、容器本体が、上端開口の少なくとも一部が注出口とされた注出筒部を備えているので、容器本体内の内容物を注出し易くすることができる。
また、空気導入孔の一部が肩部に形成されているので、空気導入孔のうちの一部と注出口との距離を確実に確保することが可能になり、前述のように内容物を注出する際に、該空気導入孔のうちの一部に内容物が進入するのを確実に抑えることができる。
【００１４】
さらに、前記注出筒部の上端部において前記注出口の開口端縁に連なる部分は、下側から上側に向かうに従い漸次径方向の外側に向けて張り出してもよい。
【００１５】
この場合、注出筒部の上端部において注出口の開口端縁に連なる部分が、下側から上側に向かうに従い漸次径方向の外側に向けて張り出しているので、内容物の注出時に、内容物を注出口内から被注出体の内部に導入し易くすることが可能になり、内容物が零れるのを抑制することができる。
【００１６】
また、前記注出筒部には、径方向の外側に向けて膨出部が突設されてもよい。
【００１７】
この場合、注出筒部に膨出部が設けられているので、この注出筒部の剛性が高められることとなり、注出容器を開封するために、蓋体および容器本体を相対的に離間移動させたときに、注出筒部が変形するのを抑えることが可能になり、この注出容器に加えた力が弱化部に効率よく伝達されることとなり、開封性を向上させることができる。
また、注出容器を持ち上げたりするときに膨出部を摘むことで、注出容器が手から滑落するのを防止し、しかも注出筒部の変形を抑えることも可能になり、操作性を向上させることができる。
【００１８】
さらに、前記膨出部は、前記注出筒部における内周面および外周面の双方が径方向の外側に向けて膨出し、該注出筒部において前記注出口から内容物を注出するときにこの注出容器を傾倒する傾倒方向の前端部に位置する周方向部分を回避した位置に配設されてもよい。
【００１９】
この場合、膨出部が、注出筒部において前記傾倒方向の前端部に位置する周方向部分を回避した位置に配設されているので、注出筒部に膨出部を配設したことによって、注出筒部の内周面のうち内容物が注出口に向けて通過する部分が凹凸形状となり内容物が注出し難くなるのを防ぐことができる。
【００２０】
また、前記膨出部は、周方向に間隔をあけて複数配設されてもよい。
【００２１】
この場合、前述の開封性および操作性をより一層向上させることができる。
なお、被注出体の口部の内径が、注出筒部の外径よりも大きくかつ膨出部の外径以下である場合には、例えば、被注出体の口部内に注出筒部を差し込み、かつ被注出体の口部の開口端縁を膨出部に突き当てた状態で、容器本体を前述のように傾ける若しくは倒立姿勢にして内容物を注出したときに、周方向で隣り合う膨出部同士の間の隙間を通して、被注出体内の空気が外部に排出されることとなる。
すなわちこの場合、容器本体を被注出体に対して定位置に安定させた状態で、被注出体内で容器本体の注出筒部から内容物を注出することが可能になり、内容物が零れるのを確実に防止することができるとともに、このような作用効果を容易な操作で奏功させることができる。
【発明の効果】
【００２２】
本発明によれば、容器本体内の内容物を効率よく注出することができる。
【図面の簡単な説明】
【００２３】
【図１】本発明に係る第１参考例の実施形態として示した注出容器の側面図である。
【図２】図１の注出容器の注出筒部、弱化部、蓋体および摘み部を示す斜視図である。
【図３】図１および図２に示す注出容器の注出口から被注出体内に内容物を注出している状態の一例を示す縦断面図である。
【図４】本発明に係る第２参考例の実施形態として示した注出容器の一部側面図である。
【図５】本発明に係る実施形態として示した注出容器の側面図である。
【図６】図５に示す注出容器の一部側面図であって開封動作の説明図である。
【図７】図５および図６に示す注出容器を開封した状態を示す一部側面図である。
【図８】図７に示す注出容器の上面図である。
【図９】図５から図８に示す注出容器の注出口から被注出体内に内容物を注出するときの一例を示す概略図である。
【発明を実施するための形態】
【００２４】
以下、図面を参照し、本発明に係る第１参考例の実施形態について説明する。
本実施形態に係る注出容器１は、図１から図３に示されるように、内容物Ｗが収容されるとともに注出口３１が形成された容器本体１１と、容器本体１１に破断可能な弱化部１３を介して連設され注出口３１を密閉する蓋体１４と、を備えている。なお、図示の例では、注出容器１は例えばブロー成形等により全体が一体に形成されている。また、本実施形態では、注出容器１として詰め替え容器を例に挙げて説明する。
【００２５】
容器本体１１は、有底筒状の胴部１５、肩部１７、および注出筒部１２を備え、これらが共通軸上に配置された状態でこの順に連設されて構成されている。
以下、前記共通軸を容器軸Ｏといい、容器軸Ｏ方向に沿って注出筒部１２側を上側、胴部１５の底部側を下側といい、また容器軸Ｏに直交する方向を径方向といい、さらに容器軸Ｏを中心に周回する方向を周方向という。
【００２６】
胴部１５の底面１５ａは、その外周縁部を除く全体が上側に向けて窪んでおり、この外周縁部が、接地面上に載置されることで容器本体１１を自立させる接地部１５ｂとなっている。底面１５ａの中央部には、下側に向けて充填筒部１５ｃが突設されている。充填筒部１５ｃは、その内部を通して容器本体１１内に内容物Ｗが充填された後に、その開口端部が径方向に挟み込まれて溶着されることで密封されている。また底面１５ａは、容器本体１１内に内容物Ｗが充填された後にこの容器本体１１の内側に向けて押し込まれて、前述のように上側に向けて窪まされる。なおこの際、充填筒部１５ｃが接地部１５ｂよりも上側に位置する。
【００２７】
注出筒部１２には、径方向の外側に向けて膨出部１９が突設されている。図示の例では、膨出部１９は、注出筒部１２における内周面および外周面の双方が径方向の外側に向けて膨出している。また膨出部１９は、注出筒部１２の下端部に設けられるとともに、周方向に間隔をあけて複数配設されている。注出筒部１２の上部は上下方向に沿ってほぼ平行に延在し、注出筒部１２の下部は上下方向に沿って上側から膨出部１９側に向かうに従い漸次拡径している。
ここで、本実施形態では、この注出容器１から内容物Ｗを詰替える被注出体Ｗ１の口部Ｗ２の内径が、容器本体１１の注出筒部１２の上部の外径よりも大きくかつ膨出部１９の外径以下となっている。
【００２８】
また、注出筒部１２の上端開口の少なくとも一部が前記注出口３１となっている。
そして本実施形態では、容器本体１１に、注出口３１に接続された空気導入孔３２が形成されている。図示の例では、注出筒部１２の上端開口は、注出口３１および空気導入孔３２により構成されている。
これら注出口３１および空気導入孔３２を一体に見た全体の開口端縁、図示の例では注出筒部１２の上端開口縁２０は、上側を向き注出口３１の開口端縁を構成する第１端縁２１と、第１端縁２１より下側に位置して上側を向きかつ空気導入孔３２の開口端縁の一部を構成する第２端縁２２と、これらの第１端縁２１および第２端縁２２それぞれの周方向の端部同士を互いに連結しかつ空気導入孔３２の開口端縁の一部を構成する一対の第３端縁２３と、を備えている。
すなわち、空気導入孔３２は、第２端縁２２が開口端縁を構成する下導入孔と、第３端縁２３が開口端縁を構成する上導入孔と、を備えていて、下導入孔が、注出口３１より下側に位置している。
【００２９】
本実施形態では、注出筒部１２の上端開口縁２０の上面視形状は円形状とされ、第１端縁２１および第２端縁２２それぞれの上面視形状は、開口する向きが互いに逆向きで、かつ大きさが同等の弧状、つまり半円弧状となっている。
第２端縁２２は、その周方向の中央部から端部に向かうに従い漸次、下側から上側に向けて延在している。図示の例では、第３端縁２３は、上下方向に延在していて、注出筒部１２の側面視で、第１端縁２１および第２端縁２２それぞれと鈍角をなすように、僅かに斜め上方を向いている。なお、注出筒部１２の側面視で、第３端縁２３が第１端縁２１および第２端縁２２それぞれとなす角度は、鈍角に限らず例えば直角若しくは鋭角等であってもよい。第２端縁２２と第３端縁２３との接続部分２０ａは、注出筒部１２の側面視で凹曲線をなしている。
【００３０】
蓋体１４は、注出口３１を閉塞する第１蓋部１４ａと、空気導入孔３２の前記下導入孔を閉塞する第２蓋部１４ｂと、これらの第１蓋部１４ａと第２蓋部１４ｂとを連結し、空気導入孔３２の前記上導入孔を閉塞する第３蓋部１４ｃと、を備えている。また蓋体１４は、表裏面が注出筒部１２の上端開口縁２０に沿って屈曲した板状に形成され、注出口３１および空気導入孔３２を一体に密閉している。
【００３１】
弱化部１３は、薄肉に形成されるとともに、注出筒部１２の上端開口縁２０と蓋部１４の外周縁部とを全周にわたって連結し、この弱化部１３および蓋部１４により注出筒部１２の上端開口が液密状態で閉塞されている。
また本実施形態では、蓋体１４の外面に、板状のつまみ片２４が突設されている。つまみ片２４の表裏面は、上下方向および径方向の双方向に沿って延在している。つまみ片２４は、蓋体１４のうち、第１蓋部１４ａ、第２蓋部１４ｂおよび第３蓋部１４ｃの各外面に、径方向に沿って連続して延設されている。このつまみ片２４における径方向の一端部２４ａは、蓋体１４の第１蓋部１４ａから径方向外方に突出している。そして、つまみ片２４を摘んで容器本体１１に対して引っ張ることで、弱化部１３が破断されて容器本体１１の注出口３１および空気導入孔３２が開口される。
【００３２】
以上説明したように、本実施形態による注出容器１によれば、容器本体１１に空気導入孔３２が形成されているので、弱化部１３を破断して注出口３１および空気導入孔３２を開口した後に、容器本体１１を、注出口３１が空気導入孔３２より鉛直方向の下側に位置するように傾ける、若しくは倒立姿勢にしたときに、内容物Ｗが、注出口３１内を積極的に通過して空気導入孔３２内に進入するのを抑止することが可能になる。
したがって、内容物Ｗの注出時に容器本体１１内に外気が導入される空気導入孔３２の流路断面積が、注出される内容物Ｗにより変動するのを抑えて安定させることが可能になり、内容物Ｗを効率よく注出することができる。
また、空気導入孔３２が注出口３１に接続されているので、注出口３１若しくは空気導入孔３２の流路断面積を容易に広く確保することができる。
さらに、蓋体１４が、注出口３１および空気導入孔３２を一体に密閉しているので、注出口３１および空気導入孔３２を同時に開口することができる。
【００３３】
また本実施形態では、空気導入孔３２が、注出口３１より下側に位置する前記下導入孔を備えているので、注出口３１と空気導入孔３２の前記下導入孔との距離を容易に確保することが可能になり、前述のように内容物Ｗを注出する際に、空気導入孔３２の前記下導入孔内に内容物Ｗが進入するのを確実に抑えることができる。
【００３４】
さらに本実施形態では、容器本体１１が、上端開口の少なくとも一部が注出口３１とされた注出筒部１２を備えているので、容器本体１１内の内容物Ｗを注出し易くすることができる。
また、本実施形態では、注出筒部１２に膨出部１９が設けられているので、この注出筒部１２の剛性が高められることとなり、注出容器１を開封するために、蓋体１４および容器本体１１を相対的に離間移動させたときに、注出筒部１２が変形するのを抑えることが可能になる。したがって、開封時に注出容器１に加えた力が弱化部１３に効率よく伝達されることとなり、開封性を向上させることができる。
さらに、注出容器１を持ち上げたりするときに膨出部１９を摘むことで、注出容器１が手から滑落するのを防止し、しかも注出筒部１２の変形を抑えることも可能になり、操作性を向上させることができる。
【００３５】
また、本実施形態では、膨出部１９が、注出筒部１２に周方向に間隔をあけて複数配設されているので、前述の開封性および操作性をより一層向上させることができる。
さらに、被注出体Ｗ１の口部Ｗ２の内径が、容器本体１１の注出筒部１２の外径よりも大きくかつ膨出部１９の外径以下となっているので、図３に示されるように、被注出体Ｗ１の口部Ｗ２内に容器本体１１の注出筒部１２を差し込み、かつ被注出体Ｗ１の口部Ｗ２の開口端縁を膨出部１９に突き当てた状態で、容器本体１１を前述のように傾ける若しくは倒立姿勢にして内容物Ｗを注出したときに、周方向で隣り合う膨出部１９同士の間の隙間を通して、被注出体Ｗ１内の空気が外部に排出されることとなる。
したがって、容器本体１１を被注出体Ｗ１に対して定位置に安定させた状態で、被注出体Ｗ１内で容器本体１１の注出筒部１２から内容物Ｗを注出することが可能になり、内容物Ｗが零れるのを確実に防止することができるとともに、このような作用効果を容易な操作で奏功させることができる。
【００３６】
次に、本発明に係る第２参考例の実施形態について説明するが、前記実施形態と同一の部位には同一の符号を付してその説明は省略し、異なる点についてのみ説明する。
【００３７】
本実施形態に係る注出容器２においては、図４に示されるように、注出筒部１２の上端部において、注出口３１の開口端縁つまり上面視半円弧状の第１端縁２１に連なる連設部分１２ｃが、下側から上側に向かうに従い漸次径方向の外側に向けて張り出している。また、注出筒部１２の上端部における前記連設部分１２ｃは、周方向に沿って中央部に向かうに従い漸次周方向の大きさが小さくなり、かつ周方向の中央部が最も径方向の外側に張り出している。これにより、注出口３１から内容物を注出するときに、この注出容器２を、注出筒部１２の前記連設部分１２ｃが下方を向くように傾倒することで、内容物を定位置に安定して注出することが可能になっている。すなわち、注出筒部１２において、前記連設部分１２ｃの周方向の中央部が位置する周方向部分が、注出口３１から内容物を注出するときにこの注出容器２を傾倒する傾倒方向の前端部と一致している。
【００３８】
また、膨出部１９は、注出筒部１２において、前記連設部分１２ｃの周方向の中央部が位置する周方向部分を回避した位置に配設されている。本実施形態では、膨出部１９は、注出筒部１２のうち、前記連設部分１２ｃの周方向の中央部が位置する周方向部分を除く全周にわたって連続して延設されている。そして、注出筒部１２において、前記連設部分１２ｃの周方向の中央部が位置する周方向部分は、上下方向の全長にわたって段差無く平滑に延在している。
【００３９】
以上説明したように、本実施形態による注出容器２によれば、注出筒部１２の前記連設部分１２ｃが、下側から上側に向かうに従い漸次径方向の外側に向けて張り出しているので、内容物Ｗの注出時に、内容物Ｗを注出口３１内から被注出体Ｗ１の内部に導入し易くすることが可能になり、内容物Ｗが零れるのを抑制することができる。
また、膨出部１９が、注出筒部１２において、前記連設部分１２ｃの周方向の中央部が位置する周方向部分を回避した位置に配設されているので、この注出容器２を、注出筒部１２の上端部における前記連設部分１２ｃが下方を向くように傾倒して、注出口３１から内容物を注出するときに、注出筒部１２に膨出部１９を配設したことによって、注出筒部１２の内周面のうち内容物Ｗが注出口３１に向けて通過する部分が凹凸形状となり内容物Ｗが注出し難くなるのを防ぐことができる。
【００４０】
次に、本発明に係る実施形態について説明するが、前記実施形態と同一の部位には同一の符号を付してその説明は省略し、異なる点についてのみ説明する。
【００４１】
本実施形態に係る注出容器３においては、図５から図９に示されるように、空気導入孔３２の一部が、容器本体１１の肩部１７に形成されている。図示の例では、注出口３１は、注出筒部１２の上端開口のほぼ全体とされ上面視ほぼ円形に形成されている。そして、空気導入孔３２は、上面視で注出口３１から径方向の外側に向けて延びるスリット状に形成されている。
以下、径方向のうち、注出口３１に対して空気導入孔３２が位置する側を後側といい、これとは逆の方向を前側という。
【００４２】
ここで図示の例では、肩部１７には、注出筒部１２から後側に離れた位置に中空の台座３５が上方に向けて突設されている。台座３５は、図８に示されるように、注出筒部１２より外径が小さい上面視円形状に形成されている。
また、肩部１７には、注出筒部１２と台座３５との間に両者１２、３５を接続する中空の接続管部３６が上方に向けて突設されている。なお、接続管部３６および注出筒部１２それぞれの上方に向けた突出高さは互いに同等になっている。また、接続管部３６の、径方向のうち前後方向に直交する方向の大きさは、注出筒部１２および台座３５それぞれの外径よりも小さくなっている。
そして、前記空気導入孔３２は、接続管部３６に形成されるとともに上下方向の全長にわたって延在し、注出口３１の後端に接続された上導入孔３２ａと、台座３５に形成されて前後方向に延びる下導入孔３２ｂと、を備えている。なお、上導入孔３２ａおよび下導入孔３２ｂそれぞれの前記直交する方向の大きさは、互いに同等になっている。
【００４３】
なお、注出筒部１２の外周面には、上下方向に延びる縦リブ１２ａが周方向に間隔をあけて複数突設されている。
また、注出筒部１２の外周面における前端部には、表裏面が径方向および上下方向の双方向に沿って延在し、かつ上下方向に長い平面視長方形状の固定板部３３が前方に向けて突設されている。なお、注出筒部１２の内周面における前端部は、上下方向の全長にわたって段差無く平滑に延在している。固定板部３３の表裏面にはそれぞれ、上下方向に延びる縦リブ３３ａが、径方向に間隔をあけて複数突設されている。さらに、固定板部３３の上端部には、前方に向けて開口する凹欠き部３３ｂが形成されている。凹欠き部３３ｂは、固定板部３３の上端縁よりも下方に位置し矩形状に形成されている。
さらに固定板部３３の上端縁は、注出筒部１２の上端部１２ｂにおける前端部に接続されている。
【００４４】
ここで、注出筒部１２の上端部１２ｂは、注出口３１の外周縁から下方に向かうに従い漸次拡径された傾斜面とされ、また、台座３５の上端部３５ａは、下導入孔３２ｂの外周縁から下方に向かうに従い漸次拡径された傾斜面とされ、さらに、接続管部３６の後端部３６ａは、上導入孔３２ａの外周縁から前方に向かうに従い漸次拡幅された傾斜面とされ、これらの傾斜面が段差無く滑らかに連なっている。
一方、注出口３１を閉塞する第１蓋部１４ａの下端部は、注出口３１の外周縁が接続された部分から上方に向かうに従い漸次拡径された傾斜面とされ、また、下導入孔３２ｂを閉塞する第２蓋部１４ｂの下端部は、下導入孔３２ｂの外周縁が接続された部分から上方に向かうに従い漸次拡径された傾斜面とされ、さらに、上導入孔３２ａを閉塞する第３蓋部１４ｃの前端部は、上導入孔３２ａの外周縁が接続された部分から後方に向かうに従い漸次拡幅された傾斜面とされ、これらの傾斜面が段差無く滑らかに連なっている。
そして、注出筒部１２の上端縁と第１蓋部１４ａの下端縁、台座３５の上端縁と第２蓋部１４ｂの下端縁、並びに接続管部３６の後端縁と第３蓋部１４ｃの前端縁が各別に弱化部１３を介して連続して連結されている。
【００４５】
本実施形態では、つまみ片２４は、第１蓋部１４ａの上面に上方に向かうに従い漸次前方に向けて延設されている。つまみ片２４は、表裏面が径方向および上下方向の双方向に沿って延びる板体となっている。また、つまみ片２４の下端における前端は、第１蓋部１４ａの下端部における前端部に接続されている。なお、つまみ片２４の上部には、指掛け孔２４ｂが形成されている。
【００４６】
以上のように構成された注出容器３を開封するには、まず図６に示されるように、一方の手の指で固定板部３３の表裏面を挟み容器本体１１を固定し、かつつまみ片２４の指掛け孔２４ｂに他方の手の指を差し込む。この状態で、図６の矢印に示されるように、他方の手を前方から後方に向けて弱化部１３が延びる方向に沿って容器本体１１に対して移動させることで、弱化部１３を破断させ、蓋体１４をつまみ片２４とともに容器本体１１から分離し、注出口３１および空気導入孔３２を開口する。
その後、開封した注出容器３から被注出体Ｗ１内に内容物を詰め替えるには、図９に示されるように、注出容器３の固定板部３３の凹欠き部３３ｂ内に、被注出体Ｗ１の口部Ｗ２の上端開口縁を係合した状態で、容器本体１１を、注出口３１が空気導入孔３２より鉛直方向の下側に位置するように傾ける。そして、注出容器３内の内容物の残量の減少に伴って、前述の係合を維持しつつ、容器本体１１の底部を漸次引き上げていき、注出容器３を倒立姿勢にする。
【００４７】
以上説明したように、本実施形態による注出容器３によれば、空気導入孔３２の下導入孔３２ｂが肩部１７に形成されているので、注出口３１と下導入孔３２ｂとの距離を確実に確保することが可能になり、前述のように内容物を注出する際に、下導入孔３２ｂ内に内容物が進入するのをより一層確実に抑えることができる。
【００４８】
なお、本発明の技術的範囲は前記実施の形態に限定されるものではなく、本発明の趣旨を逸脱しない範囲において種々の変更を加えることが可能である。
【００４９】
例えば、前記実施形態では、注出容器１として全体が一体に形成された構成を示したが、これに代えて例えば、注出筒部１２、弱化部１３、蓋体１４およびつまみ片２４を例えばインジェクション成形等で一体に形成する一方、底部１５および胴部１６を例えばパウチ、若しくはブロー成形等で一体に形成し、両者を接着若しくは溶着等してもよい。
また、容器本体１１内に内容物Ｗを充填する充填筒部１５ｃを底部１５に設けたが、これに代えて例えば胴部１６、肩部１７若しくは注出筒部１２等に設けてもよく、また充填筒部１５ｃは設けなくてもよい。
さらに、膨出部１９は注出筒部１２の全周にわたって連続して延在させてもよく、また、注出筒部１２に膨出部１９は設けなくてもよく、さらに蓋体１４につまみ片２４を設けなくてもよい。
【００５０】
また、前記実施形態では、被注出体Ｗ１の口部Ｗ２内に容器本体１１の注出筒部１２を差し込み、かつ被注出体Ｗ１の口部Ｗ２の開口端縁を膨出部１９に突き当てた状態で、容器本体１１の注出筒部１２から内容物Ｗを被注出体Ｗ１内に注出したが、これに限らず、被注出体Ｗ１の口部Ｗ２の開口端縁上に、前述のように傾けた容器本体１１の注出筒部１２の上端部を載置した状態で、容器本体１１から内容物Ｗを被注出体Ｗ１内に注出してもよい。
さらに、被注出体Ｗ１における口部Ｗ２の内径は、容器本体１１の注出筒部１２の上部の外径よりも小さくてもよいし、あるいは膨出部１９の外径よりも大きくてもよい。
また、注出容器１、２、３として詰め替え容器を示したが、これに限らず種々の用途に適用可能である。
さらに前記実施形態では、空気導入孔３２として、注出口３１より下側に位置し、上方を向く下導入孔を有する構成を示したが、これに限らず例えば、下導入孔を有さず上導入孔のみを有する構成を採用してもよい。
【００５１】
その他、本発明の趣旨を逸脱しない範囲で、上記した実施の形態における構成要素を周知の構成要素に置き換えることは適宜可能であり、また、上記した変形例を適宜組み合わせてもよい。
【産業上の利用可能性】
【００５２】
容器本体内の内容物を効率よく注出することができる。
【符号の説明】
【００５３】
１、２、３  注出容器
１１  容器本体
１２  注出筒部
１３  弱化部
１４  蓋体
１５  胴部
１７  肩部
１９  膨出部
２１  注出口の開口端縁（第１端縁）
３１  注出口
３２  空気導入孔
Ｏ  容器軸
Ｗ  内容物
【図１】
0005551503.tif 000002
【図２】
0005551503.tif 000003
【図３】
0005551503.tif 000004
【図４】
0005551503.tif 000005
【図５】
0005551503.tif 000006
【図６】
0005551503.tif 000007
【図７】
0005551503.tif 000008
【図８】
0005551503.tif 000009
【図９】
0005551503.tif 000010